(57)【要約】  【課題】商品貯蔵室の前面に設けた引戸をスムーズにスライド開閉させることができるオープンショーケースを提供する。  【解決手段】断熱壁により構成されたショーケース本体２内に、商品出し入れ用の開口部を有する商品貯蔵室４を形成し、該商品貯蔵室の開口部をエアーカーテンで覆うことにより商品貯蔵室４内を冷却し、前記開口部に開閉可能な引戸１１を備えたオープンショーケース１において、前記開口部の上方に水平方向の上部ガイドレール１２を配設し、該上部ガイドレール１２に、複数のガイドローラを介してガイドされるスライドバーを前記ガイドレール１２に沿って移動可能に装着するとともに、前記スライドバーの前面に引戸１１の上端部を着脱可能に係合させる。【選択図】図１
2008206640.tif 000002
【特許請求の範囲】
【請求項１】
断熱壁により構成されたショーケース本体内に、商品出し入れ用の開口部を有する商品貯蔵室を形成し、該商品貯蔵室の開口部をエアーカーテンで覆うことにより商品貯蔵室内を冷却し、前記開口部に開閉可能な引戸を備えたオープンショーケースにおいて、
前記開口部の上方に水平方向の上部ガイドレールを配設し、該上部ガイドレールに、複数のガイドローラを介してガイドされるスライドバーを前記ガイドレールに沿って移動可能に装着するとともに、前記スライドバーの前面に引戸の上端部を着脱可能に係合させたことを特徴とするオープンショーケース。
【請求項２】
前記スライドバーの前面に、上方に向かって突出する受片を設けるとともに、前記引戸の上端部背面に、前記受片に係合する係合部を設けたことを特徴とする請求項１記載のオープンショーケース。
【請求項３】
前記引戸の下端部背面側にガイド部材を突出するとともに、前記開口部の下方に上向き面と前向き面とを連設した階段状の下部ガイドレールを配設し、前記ガイド部材を該下部ガイドレールの前向き面にて移動可能にガイドしたことを特徴とする請求項１又は２記載のオープンショーケース。
【発明の詳細な説明】
【技術分野】
【０００１】
本発明は、オープンショーケースに関し、詳しくは、ショーケース本体の商品貯蔵室の前面に開閉可能な引戸を備えたオープンショーケースに関する。
【背景技術】
【０００２】
スーパーマーケットやコンビニエンスストア等の食品売場に設置されるオープンショーケースとして、商品貯蔵室の前面や背面に設けた商品出し入れ用の開口部に、商品貯蔵室内に貯蔵した商品を保護するための引戸を開閉可能に設けたオープンショーケースが知られている（例えば、特許文献１参照）。このようなオープンショーケースに設けられる引戸は、開口部の上下にレール溝を有するガイドレールをそれぞれ設け、両ガイドレール間に引戸の上下両端を挿入して引戸下端部に設けた戸車によって引戸を左右方向に移動可能としていた（例えば、特許文献２参照）。
【特許文献１】特開平７−１５１４５０号公報
【特許文献２】特開平１１−２５７８３８号公報
【発明の開示】
【発明が解決しようとする課題】
【０００３】
しかし、上下のガイドレールによって引戸をガイドする従来の構造では、上下ガイドレールの水平レベルの精度が出ていないと引戸がスムーズにスライドしないため、水平レベルの調整に手間取るという問題があった。また、下部ガイドレールのレール溝内にゴミが溜まりやすく、ゴミが溜まると戸車の動きが悪くなるため、頻繁に清掃しなければならず、清掃作業も大変面倒であった。さらに、レール溝両側にレールが上方に向かって突出しているため、見た目に痛そうな感じを与えていた。
【０００４】
そこで本発明は、商品貯蔵室の前面に設けた引戸をスムーズにスライド開閉させることができるオープンショーケースを提供することを目的とする。
【課題を解決するための手段】
【０００５】
上記課題を解決するため、本発明のオープンショーケースは、断熱壁により構成されたショーケース本体内に、商品出し入れ用の開口部を有する商品貯蔵室を形成し、該商品貯蔵室の開口部をエアーカーテンで覆うことにより商品貯蔵室内を冷却し、前記開口部に開閉可能な引戸を備えたオープンショーケースにおいて、前記開口部の上方に水平方向の上部ガイドレールを配設し、該上部ガイドレールに、複数のガイドローラを介してガイドされるスライドバーを前記ガイドレールに沿って移動可能に装着するとともに、前記スライドバーの前面に引戸の上端部を着脱可能に係合させたことを特徴としている。
【０００６】
また、本発明のオープンショーケースは、前記スライドバーの前面に、上方に向かって突出する受片を設けるとともに、前記引戸の上端部背面に、前記受片に係合する係合部を設けることによって引戸の着脱を容易に行うことができる。さらに、前記引戸の下端部背面側にガイド部材を突出するとともに、前記開口部の下方に上向き面と前向き面とを連設した階段状の下部ガイドレールを配設し、前記ガイド部材を該下部ガイドレールの前向き面にて移動可能にガイドさせることによって下部ガイドレールの清掃を容易に行うことができ、外観も向上させることができる。
【発明の効果】
【０００７】
本発明のオープンショーケースによれば、必要に応じて上部ガイドレールのみのレベル調整を行うだけで引戸をスムーズにスライド開閉させることができ、引戸の着脱も容易に行うことができる。また、下部ガイドレールを階段状に形成することによってゴミも溜まりにくく、清掃も容易に行うことができる。
【発明を実施するための最良の形態】
【０００８】
以下、本発明の一実施の形態について、図面に基づき説明する。
図１は本発明の一実施形態を示すオープンショーケースの断面側面図、図２はオープンショーケースの正面図、図３は引戸上部のガイド構造を示す要部の拡大断面図、図４は引戸下部のガイド構造を示す要部の拡大断面図、図５は上部ガイドレール、スライドバー及び引戸の関係を示す分解斜視図である。
【０００９】
本形態例に示すオープンショーケース１は、断熱壁により構成され、前面上部が後方に傾斜したショーケース本体２の内部に商品陳列棚３を設けた商品貯蔵室４が形成されるとともに、ショーケース本体２の背面に背面ダクト５が形成され、該背面ダクト５の下方部分に冷却器６及び送風機７が配置されている。商品貯蔵室４の天井板前端部には、背面ダクト５からの冷気を下方に向けて吹き出すための冷気吹出口８が設けられ、商品貯蔵室４の底板前端部には、冷気吹出口８から吹き出された冷気を吸い込むための冷気吸込口９が設けられており、冷気吹出口８から吹き出して冷気吸込口９に吸い込まれる冷気によって商品貯蔵室４の開口部を覆うエアーカーテンを形成し、これによって商品貯蔵室４内に貯蔵した商品を冷却している。また、冷気吹出口８の後部及び商品陳列棚３の下面には、商品貯蔵室４内に陳列した商品を照らす照明灯１０がそれぞれ設けられている。
【００１０】
商品貯蔵室４に商品を出し入れするための開口部のエアーカーテンより前方位置には、開口部を開閉可能に覆う引戸１１が設けられている。この引戸１１は、開口部の上部に水平方向に並列に設けられた一対の上部ガイドレール１２にそれぞれガイドされる内側戸１１ａと外側戸１１ｂとを有する引き違い戸となっている。上部ガイドレール１２は、上下にガイド突片１２ａを有する金属製のＣ字状チャンネル部材からなるもので、ショーケース本体２に固定された階段状のブラケット１３の前面に、内側戸１１ａ用に対して外側戸１１ｂ用の上部ガイドレール１２が前方かつ上方に位置した状態で取り付けられている。また、上部ガイドレール１２の前面には開閉可能なカバー１４が設けられている。
【００１１】
各ガイドレール１２には、左右一対のガイドローラ１５を有するスライドバー１６が装着されている。ガイドローラ１５は、低摩擦係数の合成樹脂で形成されており、ベアリング１７及び支軸１８を介してスライドバー１６の両端部に回転可能に取り付けられている。また、ガイドローラ１５の外周には、上部ガイドレール１２の上下のガイド突片１２ａに係合する凹溝１５ａが形成されており、この凹溝１５ａを上下のガイド突片１２ａに係合させながら上部ガイドレール１２の一端からガイドローラ１５を挿入することにより、スライドバー１６が脱落しない状態で上部ガイドレール１２に保持されるとともに、上部ガイドレール１２に沿って左右方向に移動可能に装着される。
【００１２】
スライドバー１６の前面２箇所には、上方に向かって突出する受片１９が設けられ、引戸１１の上端部背面には、前記受片１９に係合する係合部となる係合孔２０が設けられており、各引戸１１は、係合孔２０に受片１９を挿入して係合させることにより、スライドバー１６に吊り下げられた状態で保持される。
【００１３】
一方、開口部の下部には、前記内側戸１１ａ及び外側戸１１ｂの下端部をガイドする下部ガイドレール２１が設けられている。この下部ガイドレール２１は、開口部の後傾角度に応じて傾斜状態で設けられる引戸１１の傾斜角度に対応して形成されており、前面を向いた上下方向の上部ガイド面２１ａと下部ガイド面２１ｂとを前方に向かって下り勾配を有する傾斜面２１ｃを介して階段状に一体成形したものであって、上部ガイド面２１ａに内側戸１１ａの下端部背面に設けたガイド部材であるガイドローラ２２が当接し、下部ガイド面２１ｂに外側戸１１ｂの下端部背面に設けたガイドローラ２２が当接する。上部を後方に、下部を前方に傾斜させた状態の引戸１１の下端部をガイドする下部ガイドレール２１をこのような階段状に形成することにより、溝や突起が無いためにゴミが溜まりにくくなるだけでなく、清掃も容易となり、外観も向上する。
【００１４】
このように形成したオープンショーケース１は、上下各ガイドレール１２，２１をそれぞれ所定位置に組み付け、上部ガイドレール１２にはスライドバー１６を装着した状態で設置され、引戸１１は必要に応じて着脱して使用することができる。引戸１１は、前記カバー１４を上方に開いた状態で、スライドバー１６の受片１９に引戸１１の係合孔２０を係合させるだけでスライドバー１６に吊下げ状態で取り付けることができ、取り外しも引戸１１を僅かに持ち上げて係合孔２０を受片１９から外すだけで行うことができる。
【００１５】
したがって、商品貯蔵室４内に大量の商品を陳列したりする作業を行うときや、商品貯蔵室４内の清掃の際には引戸１１を取り外すことによって容易に行うことができ、通常の陳列販売時には引戸１１を取り付けることにより、商品貯蔵室４内の冷却温度を安定化できるとともに商品を保護することができる。また、パック品ではない惣菜、例えば天麩羅やフライを陳列販売するときには、衣の一部が下部ガイドレール２１上に落下することが多いが、上下方向を向いた各ガイド面２１ａ，２１ｂで引戸１１をガイドすするので、落下物が引戸１１の開閉に悪影響を与えることはほとんどない。
【００１６】
さらに、ショーケース本体２の天井部にファン２３を設けて吹出口２４から引戸１１の背面に沿うように空気を流すことによって引戸２４への結露を除去したり、防止したりすることができる。
【図面の簡単な説明】
【００１７】
【図１】本発明の一実施形態を示すオープンショーケースの断面側面図である。
【図２】オープンショーケースの正面図である。
【図３】引戸上部のガイド構造を示す要部の拡大断面図である。
【図４】引戸下部のガイド構造を示す要部の拡大断面図である。
【図５】上部ガイドレール、スライドバー及び引戸の関係を示す分解斜視図である。
【符号の説明】
【００１８】
１    オープンショーケース
２    ショーケース本体
３    商品陳列棚
４    商品貯蔵室
５    背面ダクト
６    冷却器
７    送風機
８    冷気吹出口
９    冷気吸込口
１０    照明灯
１１    引戸
１１ａ  内側戸
１１ｂ  外側戸
１２    上部ガイドレール
１２ａ  ガイド突片
１３    ブラケット
１４    カバー
１５    ガイドローラ
１５ａ  凹溝
１６    スライドバー
１７    ベアリング
１８    支軸
１９    受片
２０    係合孔
２１    下部ガイドレール
２１ａ  上部ガイド面
２１ｂ  下部ガイド面
２１ｃ  傾斜面
２２    ガイドローラ
２３    ファン
２４    吹出口
【図１】
2008206640.tif 000003
【図２】
2008206640.tif 000004
【図３】
2008206640.tif 000005
【図４】
2008206640.tif 000006
【図５】
2008206640.tif 000007